(57)【要約】  本発明は，円筒形の内部空間を有する本体の先端の一部が開放された，ネイル用ストーンを提供するペン軸と；前記ペン軸の前記本体に備えられた，前記ネイル用ストーンを収容する収容部と；前記収容部から前記ネイル用ストーンの供給を受け，回転しながら排出部に前記ネイル用ストーンを提供する供給部と；前記供給部を基準に前記収容部の反対側に配置され，前記供給部から前記ネイル用ストーンの供給を受けて外部に提供する排出部と；前記ペン軸の外周面に備えられ，前記供給部を回転させるボタンと；を備え，前記ボタンが押されると，前記供給部が回転しながら前記収容部から提供を受けた前記ネイル用ストーンを前記排出部に提供するネイル用ストーンペンシルに関するものである。【選択図】図２ａ
2017500131.tif 000002
【特許請求の範囲】
【請求項１】
円筒形の内部空間を有する本体の先端の一部が開放された，ネイル用ストーンを提供するペン軸（１０）と，
前記ペン軸（１０）の前記本体（１１）に備えられた，前記ネイル用ストーンを収容する収容部（１２）と，
前記収容部（１２）から前記ネイル用ストーンの供給を受け，回転しながら排出部（１５）に前記ネイル用ストーンを提供する供給部（１４）と，
前記供給部（１４）を基準に前記収容部（１２）の反対側に配置され，前記供給部（１４）から前記ネイル用ストーンの供給を受けて外部に提供する前記排出部（１５）と，
前記ペン軸（１０）の外周面に備えられ，前記供給部（１４）を回転させるボタン（１６）と，を備え，
前記ボタン（１６）が押されると，前記供給部（１４）が回転しながら前記収容部（１２）から提供を受けた前記ネイル用ストーンを前記排出部（１５）に提供するネイル用ストーンペンシル。
【請求項２】
前記供給部（１４）は円盤形状で，該円盤形状の外周面に沿って一定間隔で離隔した収容溝（１４１）を備え，
前記収容溝（１４１）は，前記収容部（１２）と接した状態で前記ネイル用ストーンの供給を受け，供給を受けた前記ネイル用ストーンを収納した状態で前記ボタン（１６）の操作により回転移動し，前記排出部（１５）と接するように回転移動した状態で前記排出部（１５）に前記ネイル用ストーンを提供することを特徴とする，請求項１記載のネイル用ストーンペンシル。
【請求項３】
前記供給部（１４）には複数個の突出部を有する歯部（１４２）が備えられており，
前記ボタン（１６）の内端には前記ペン軸（１０）の内部に延びる押え軸（１８）が備えられ，前記ボタン（１６）が押される度に，前記押え軸（１８）の端部である押え端部（１９）が前記歯部（１４２）を押して回転させることによって，前記収容溝（１４１）の位置を回転移動させることを特徴とする，請求項２記載のネイル用ストーンペンシル。
【請求項４】
前記ボタン（１６）が押された状態で前記押え端部（１９）と接する位置の前記本体（１０）の内部空間には支持板形状の第１ストッパー（１５５）が備えられていることで，前記第１ストッパー（１５５）の下方への前記押え端部（１９）の過剰移動を防止することを特徴とする，請求項３記載のネイル用ストーンペンシル。
【請求項５】
前記ペン軸（１０）の先端にはカバー（２０）が取り付けられ，
前記カバー（２０）は，前記ペン軸（１０）に嵌まる後端部が前記ボタン（１６）の内端とこれに対応する前記ペン軸（１０）の外周面との間に配置されることによって，前記カバー（２０）が取り付けられた状態では前記ボタン（１６）を押せないようにしたことを特徴とする，請求項１記載のネイル用ストーンペンシル。
【発明の詳細な説明】
【技術分野】
【０００１】
本発明はネイル用ストーンペンシルに関し，より詳しくは，ボタンを押して内部に収容されたネイル用ストーンを供給し，かつユーザの必要によって排出口を通じて１つずつバラで供給することができ，未使用時にはカバーを被せてボタンを押せないようにすることで，ネイル用ストーンがこぼれ落ちることを防止した，ネイル用ストーンの管理が容易なネイル用ストーンペンシルに関する。
【背景技術】
【０００２】
ネイルアート作業時に使われるネイル装飾用ストーンは，サイズが小さくて平たいために手でストーンを把持または移動し難い場合が多く，狭い空間である爪の上面にストーンを配置しなければならないので細密な作業が必要である。
【０００３】
ここに，図１ａ及び図１ｂに示すように，道具を用いてストーンを移動するか，またはネイルアート作業をする場合が多く，図１ａには小さな物をつまんで移動させることができるピンセットが図示されており，図１ｂには端部にストーンを付着移動させるストーンペンシル（ストーンピッカーペンシル）が図示されている。前記ストーンペンシルの場合，鉛筆のような形状であって，芯部分がワックスなどの材質からなっており，ストーン上面に接すれば，ストーンが芯部分に付着される。
【０００４】
しかしながら，従来のピンセットの場合，ストーンをつまむ時，ピンセットに握力を加え続けなければならず，個別のストーンをつまむために細密な作業が必要であるので，ストーンペンシルに比べて使用頻度が減っている。前記ストーンペンシルの場合にも，付着に失敗することもあり，所望の位置で，付着したストーンが前記ストーンペンシルから分離しない場合もある。
【０００５】
特に，ピンセットやストーンペンシルを使用する時は，装飾用ストーンを作業台上に分散させた後，個々につまむか，またはペンの芯に接触させる作業が必要であるので，ストーンの紛失可能性があり，裏返った状態のストーンをつまんで移動させるためには，より細密な手作業を必要とするのが実状である。
【発明の概要】
【発明が解決しようとする課題】
【０００６】
本発明は前記のような問題を解決するためのものであって，容易にバラの装飾用ストーンを把持または移動させることをその目的とする。
【０００７】
また，ストーンを並べるか，または裏返ったストーンをいちいちまた裏返さなくても，一回の操作で個々のストーンを所望の位置に提供することをその目的とする。
【０００８】
また，ストーンを並べなくてもストーンを確認することができ，ストーンの紛失を防止することをその目的とする。
【課題を解決するための手段】
【０００９】
前記のような目的を達成するために，本発明では，円筒形の内部空間を有する本体の先端の一部が開放された，ネイル用ストーンを提供するペン軸と；前記ペン軸の前記本体に備えられた，前記ネイル用ストーンを収容する収容部と；前記収容部から前記ネイル用ストーンの供給を受け，回転しながら排出部に前記ネイル用ストーンを提供する供給部と；前記供給部を基準に前記収容部の反対側に配置され，前記供給部から前記ネイル用ストーンの供給を受けて外部に提供する前記排出部と；前記ペン軸の外周面に備えられ，前記供給部を回転させるボタンと；を備え，前記ボタンが押されると，前記供給部が回転しながら前記収容部から提供を受けた前記ネイル用ストーンを前記排出部に提供するネイル用ストーンペンシルを提供する。
【００１０】
この際，前記供給部は円盤形状であって，該円盤形状の外周面に沿って一定間隔で離隔した収容溝を備え，前記収容溝は，前記収容部と接した状態で前記ネイル用ストーンの供給を受け，供給を受けた前記ネイル用ストーンを収納した状態で前記ボタンの操作により回転移動し，前記排出部と接するように回転移動した状態で前記排出部に前記ネイル用ストーンを提供する。
【００１１】
また，前記供給部には複数個の突出部を有する歯部が備えられており，前記ボタンの内端には前記ペン軸の内部に延びる押え軸が備えられ，前記ボタンが押される度に，前記押え軸の端部である押え端部が前記歯部を押して回転させることによって，前記収容溝の位置を回転移動させる。
【００１２】
この際，前記ボタンが押された状態で前記押え端部と接する位置の前記本体内部空間には支持板形状の第１ストッパーが備えられていることで，前記第１ストッパーの下方への前記押え端部の過剰移動を防止することができる。
【００１３】
また，本発明では前記ペン軸の先端にはカバーが取り付けられ，前記カバーは，前記ペン軸に嵌まる後端部が前記ボタンの内端とこれに対応する前記ペン軸の外周面との間に配置されることによって，前記カバーが取り付けられた状態では前記ボタンを押せないようにすることができる。
【発明の効果】
【００１４】
本発明のネイル用ストーンペンシルでは，ユーザの細密な作業無しでも容易にバラの装飾用ストーンを把持または移動させることができる。
【００１５】
また，ストーンをつまむために作業台の上にストーンを並べなくてもよいので，ストーン紛失の危険が減少する。
【００１６】
また，裏返ったストーンも別途の追加操作無しで正方向に提供することができる。
【図面の簡単な説明】
【００１７】
【図１ａ】従来のピンセットとストーンペンシルを示す概略的な斜視図（写真）である。
【図１ｂ】従来のピンセットとストーンペンシルを示す概略的な斜視図（写真）である。
【図２ａ】本発明のネイル用ストーンペンシルの外観を示す概略的な全体斜視図である。
【図２ｂ】本発明のネイル用ストーンペンシルの外観を示す概略的な部分斜視図である。
【図３ａ】各々本発明のネイル用ストーンペンシルの外観を示す概略的な平面図である。
【図３ｂ】各々本発明のネイル用ストーンペンシルの外観を示す概略的な正面図である。
【図４】本発明のネイル用ストーンペンシルの供給部と排出部の構造を示す概略的な断面図である。
【図５】本発明のネイル用ストーンペンシルの端部にカバーが嵌まった状態の供給部と排出部，ボタン構造を示す概略的な断面図である。
【図６】図５のＡの拡大図である。
【図７】図６の背面に該当する構造であって，ボタンを押す時，供給部が回転する構造を示す概略的な断面図である。
【発明を実施するための形態】
【００１８】
以下，添付した図面を参照しつつ本発明に係る好ましい実施形態を詳細に説明する。これに先立って，本明細書及び請求範囲に使われた用語や単語は一般的または辞典的な意味に限定して解析されてはならず，発明者は自身の発明を最善の方法により説明するために用語の概念を適切に定義することができるという原則に即して，本発明の技術的思想に符合する意味と概念として解釈されなければならない。
【００１９】
したがって，本明細書に記載された実施形態と図面に図示された構成は本発明の最も好ましい一実施形態に過ぎないものであり，本発明の技術的思想を全て代弁するものではないので，本出願時点において，これらの置換可能な様々な均等物との変形例がありえることを理解しなければならない。
【００２０】
本発明は，ペン軸１０の内部にネイル用ストーンを収容した状態で，ユーザの操作によってネイル用ストーンが１つずつ提供されるネイル用ストーンペンシル１に関するものである。
【００２１】
図２ａ及び図２ｂには，本発明のネイル用ストーンペンシル１の外観を示す概略的な全体斜視図及び部分斜視図が図示されており，図３ａ及び図３ｂには各々本発明のネイル用ストーンペンシル１の外観を示す概略的な平面図及び正面図が図示されている。
【００２２】
図面に示すように，本発明のネイル用ストーンペンシル１は，ペン軸１０とカバー２０とからなり，前記カバー２０が前記ペン軸１０の端部に締結されて前記ペン軸１０の排出部１５を開閉する。前記ペン軸１０は円筒形状の本体１１の一端部に孔が形成されて，前記孔を介してペン先に該当する排出部１５が形成されており，本体１１の外周面にボタン１６が突出して設けられている。前記排出部１５は円筒形状で，端部を通じて前記ペン軸１０の内部のネイル用ストーンを供給し，前記排出部１５の端部は片側に傾斜しているので，前記ペン軸１０の軸方向が直角の場合よりも供給されたネイル用ストーンの位置を細密に調整することができる。また，前記ペン軸１０は，後述する前記ペン軸１０の内部の収容部１２を見えるようにする窓１３を備えているので，内部に収容されるネイル用ストーンの量を確認することができる。また，前記ペン軸１０の外周面には平行に離隔した複数の溝１１３が形成されて，把持した時，滑りを防止し，審美感を与えることができる。
【００２３】
前記ボタン１６は，ユーザが前記ペン軸１０を把持した時，ユーザにより操作が容易であるようにペン軸１０の先端部，即ち排出部１５が形成される一端側近くに形成することが好ましく，前記ボタン１６は後述するように前記ペン軸１０の方向に押して前記ペン軸１０の内部にある供給部１４を回転させることによって，ネイル用ストーンを前記排出部１５に提供する。
【００２４】
前記カバー２０は前記ペン軸１０の先端，即ち排出部１５が形成された一端側に結合されて前記ペン軸１０の排出部１５を開閉する。図面には前記カバー２０の本体２１の一端が開放されたドーム形状に図示されているが，前記カバー２０の形状はこれに限定されるものではない。また，前記カバー２０の内側面には円筒面形状のガイド壁２２が備えられているので，前記カバー２０が前記本体に締結される時，前記ガイド壁２２により形成された内部空間に前記ペン軸１０の排出部１５が挿入された状態で収容される。これを通じて，後述するように，前記排出部１５を通じてネイル用ストーンがこぼれ落ちても前記カバー２０のガイド壁２２により形成された内部空間に収容されるので，外部に紛失される危険が少ない。
【００２５】
一方，前記カバー２０は紛失を防止するために，分離後，前記ペン軸１０の後端に取り付けた状態で使用することができ，この際，前記カバー２０の取り付けを容易にするために前記ペン軸１０の後端部には結合溝１１４を形成できる。
【００２６】
図４に本発明のネイル用ストーンペンシル１の供給部１４と排出部１５の構造を示す概略的な断面図が図示されており，図５には本発明のネイル用ストーンペンシル１の端部にカバー２０が嵌まった状態の供給部１４と排出部１５，ボタン１６の構造を示す概略的な断面図が図示されており，図６には図５のＡの拡大図が図示されている。
【００２７】
図面に示すように，本発明のペン軸１０は円筒形の本体の内部にネイル用ストーンを収納する収容部１２を備える。前記収容部１２は，ボタン１６の操作によって供給部１４を経て排出部１５にネイル用ストーンを提供する。
【００２８】
図６を参考すると，前記収容部１２は前記排出部１５と連結されている先端に行くほど幅が狭まる傾斜部が形成されており，先端では前記排出部１５を構成する円筒形状の直径程度に直径が縮小する。前記収容部１２の先端は前記排出部１５と連結されて内部空間が互いに連通する。
【００２９】
前記排出部１５は前記ペン軸１０の外部に突出するペン先部１５１と前記ペン軸１０の内部に収容される連結部１５２を含むが，前記連結部１５２は後述する供給部１４を収容することができる円筒面形状で，前記連結部１５２を通じて前記ペン先部１５１と前記収容部１２の先端が互いに接する。この際，前記連結部１５２には前記収容部１２の先端と対応する位置に連結溝１５３が備えられているので，前記連結溝１５３を通じて前記収容部１２の先端と前記連結部１５２の内部空間とが互いに連通・連結される。
【００３０】
前記排出部１５の連結部１５２内には供給部１４が収容され，前記供給部１４は一定厚さを有する円盤形状で，外周面に沿って一定間隔で離隔した収容溝１４１を備える。前記供給部１４は，前記連結部１５２の内部で回転可能に連結され，後述するボタン１６をタッチする毎に一定角度回転する。例えば，図６に図示された形態の供給部１４ではボタン１６のタッチ前に特定の収容溝１４１が前記連結溝１５３を通じて前記収容部１２の先端と連通されて前記収容部１２からネイル用ストーンの供給を受けて収納する。この後，前記ボタン１６のタッチによって前記供給部１４が反時計回り方向に回転するようになり，３度目のボタン１６のタッチにより前記ペン先部１５１と接する位置に回転され，前記ペン先部１５１にネイル用ストーンを提供するようになる。本発明の実施形態では，前記収容溝１４１を６個備えるものとして図示したが，前記収容溝１４１はボタン１６のタッチに従う前記供給部１４の回転時毎に前記ペン先部１５１と接する位置に収容溝１４１が配置されるように多様な構成を有することができることは勿論である。
【００３１】
前記収容溝１４１は，前記供給部１４が回転する時，前記収容部１２の先端と連結溝１５３を通じて連通する瞬間にネイル用ストーンの供給を受けて収容することができる。また，前記収容溝１４１はネイル用ストーンの上部が前記収容溝１４１の内側面に接し，ネイル用ストーンの下部が前記収容溝１４１の外部に向くように前記ネイル用ストーンの形状に対応するように形成されることが好ましい。例えば，ネイル用ストーンが平たい下部と膨らんだ上部を有する場合，前記収容溝１４１がこれに対応するように収容溝１４１の内側面が凹んで形成されて，前記ネイル用ストーンの膨らんだ上部が前記収容溝１４１の内側面に接するように収容される。このように，前記収容溝１４１の形状によって前記ネイル用ストーンの収納方向を定めることができ，前記供給部１４の回転によって収容溝１４１に収納されたネイル用ストーンが前記ペン先部１５１に提供される時はネイル用ストーンの下部が先に排出されるようにして，前記ペン先の端部を爪面上に近づけて，前記ネイル用ストーンを供給すれば，ネイル用ストーンが裏返らず，正方向に配置される。
【００３２】
この際，前記排出部１５と収容部１２の位置を固定するために，前記ペン軸１０の内側面には中心部に向かって突出するガイド１１５が備えられ，前記収容部１２の傾斜部が前記ガイドによって先端への移動が制限される。また，前記ペン先部１５１の外周面にも前記ペン軸１０の先端部の孔よりも直径の大きい環状突部（１５４）（１６１）が備えられているので，前記環状突部１５４により前記排出部１５の前記ペン軸１０後方への移動が制限される。
【００３３】
前記ボタン１６は，前述したように，前記ペン軸１０の先端部に形成され，前記連結部１５２が収容された位置より後方に配置されることが好ましい。前記ボタン１６が形成される先端部は外周面の一部に開放部１１０が形成され，前記開放部１１０に弾性部材１７が結合され，前記弾性部材１７の外端には前記ボタン１６が連結される。前記ボタン１６を前記ペン軸１０の外周面に向かって押すと，前記ボタン１６により前記弾性部材１７が押されるようになっており，これに関連して供給部１４が円盤形体の軸を中心に回転しながら収容溝１４１の位置を移動させる。
【００３４】
また，前記ボタン１６が備えられる前記開放部１１０の外郭には突部１１１が形成され，前記突部１１１と開放部１１０との間には段差１１２が備えられている。また，前記ボタン１６の内端には中央に弾性部材１７が連結され，前記弾性部材１７が配置される位置の外郭に突部１６１が形成され，前記突部１６１の外郭には溝部１６２が形成されている。前記ボタン１６の溝部１６２は，前記ペン軸１０の開放部１１０の外郭に形成された突部１１１に対応するように位置し，前記ボタン１６を押すと，前記ボタン１６の溝部１６２に前記ペン軸１０の突部１１１が挿入されながら圧力が加えられる。
【００３５】
この際，前記ペン軸１０の先端に結合される前記カバー２０の後端部が前記ボタン１６の内端とこれに対応する前記ペン軸１０との間に配置されるように前記カバー２０が取り付けられれば，前記ボタン１６が押されることが制限されるので，前記ネイル用ストーンペンシル１の未使用時，意図しないボタン１６の操作によりネイル用ストーンがカバー２０の内部に貯まることを防止することができる。
【００３６】
図７には，図６の背面に該当する構造として，ボタン１６を押す時，供給部１４が回転する構造を示す概略的な断面図が図示されている。図面を参照して，前記ボタン１６を押す時，供給部１４が回転しながら収容溝１４１の位置を移動させる構造を説明する。まず，本発明のボタン１６の内端には前記ペン軸１０の内部に延びる押え軸１８が備えられている。前記押え軸１８の端部である押え端部１９により前記ボタン１６が押される度に前記供給部１４を回転方向に押して回転させる。
【００３７】
円盤形状の前記供給部１４の円盤部のうち，いずれか１つ以上には外側に突出した歯部１４２が備えられており，前記歯部１４２は前記供給部１４の外周面に備えられた収容溝１４１に対応する個数の歯または突出部を有する。
【００３８】
前記歯は，前記ボタン１６により前記押え軸１８が前記ペン軸１０の本体中心部方向に移動する度に，前記押え軸１８により回転方向に移動しながら前記供給部１４の全体を回転移動させる。この際，前記押え端部１９は前記歯部１４２を逆方向に押さないように前記歯部１４２と接する方向に凹んだ鉤形状のものが好ましい。
【００３９】
また，前記押え端部１９の移動範囲を制限するために前記ボタン１６が押された状態で前記押え端部１９と接する位置の前記連結部１５２には支持板形状の第１ストッパー１５５が備えられているので，前記第１ストッパー１５５の下方への前記押え端部１９の過剰移動を防止する。
【００４０】
また，前記ボタン１６の操作により前記歯部１４２が過剰回転することを防止するために，前記連結部１５２の内側には折り曲げられた板形状の第２ストッパー１５７が備えられ，前記第２ストッパー１５７により前記歯部１４２の歯が支持されることによって，弱い押圧力によって前記歯部１４２が過剰に移動することを防止できる。この際，前記第２ストッパー１５７は前記連結部１５２に別途に形成された固定部１５６を用いて固定設置できる。
【符号の説明】
【００４１】
１    ネイル用ストーンペンシル
１０    ペン軸
１１    本体
１２    収容部
１３    窓
１４    供給部
１５    排出部
１６    ボタン
１７    弾性部材
１８    押え軸
１９    押え端部
２０    カバー
２１    本体
２２    ガイド壁
１１０    開放部
１１１    突部
１１２    段付
１１３    溝
１１４    結合溝
１１５    ガイド
１４１    締結溝
１４２    歯部
１５１    ペン先部
１５２    連結部
１５３    連結溝
１５４    環状突部
１５５    第１ストッパー
１５６    固定部
１５７    第２ストッパー
１６１    突部
１６２    溝部
【図１ａ】
2017500131.tif 000003
【図１ｂ】
2017500131.tif 000004
【図２ａ】
2017500131.tif 000005
【図２ｂ】
2017500131.tif 000006
【図３ａ】
2017500131.tif 000007
【図３ｂ】
2017500131.tif 000008
【図４】
2017500131.tif 000009
【図５】
2017500131.tif 000010
【図６】
2017500131.tif 000011
【図７】
2017500131.tif 000012
【国際調査報告】
2017500131.tif 000013
2017500131.tif 000014
2017500131.tif 000015
2017500131.tif 000016